(57)【特許請求の範囲】
【請求項１】
周面に篩い目通過物（４）と篩い目非通過物（３）とに分離する篩い目（４１）を形成した分離筒（２６）を備え、この分離筒（２６）の一端側に前記通過物（４）と非通過物（３）とが混合した輸送原料を含む空気を導入して分離筒（２６）内で螺旋流となる混合空気導入口（３３）が設けられ、分離筒（２６）の他端側に非通過物（３）を取り出す非通過物取出口（４２）が設けられ、篩い目（４１）から放出した通過物（３）を受けるケーシング（２７）が分離筒（２６）の外周を包囲するように設けられ、ケーシング（２７）の下部が吸引ブロワ（９）と接続された旋回篩い装置において、
前記分離筒（２６）の外方に、分離筒（２６）の篩い目（４１）に外部から内方に向けて逆洗気流を放出する気流放出装置（６１）と、逆洗気流の放出位置が分離筒（２６）の全周に亘るように分離筒（２６）を周方向に回転させる回転支持機構（８１）とが設けられ、
前記回転支持機構（８１）は、分離筒（２６）を軸心方向に支持する担持手段（７２）と、分離筒（２６）の上下部を径方向に支持する上下支持手段（７３，７４）と、分離筒（２６）を回転駆動する駆動手段（８０）とにより構成され、
前記分離筒（２６）の上部側に支持フランジ（４３）を有する支持筒体（４４）が外嵌固着され、分離筒（２６）はその下部側に非通過物取出口（４２）を形成した取出筒（４０）を有し、ケーシング（２７）の下部には取出筒（４０）と連通する非通過物送出管（２８）を有し、
前記担持手段（７２）は、支持フランジ（４３）の下面に接当して分離筒（２６）の重量を受ける複数のスラストローラ（６９）により構成され、前記上支持手段（７３）は、支持筒体（４４）の外周に接当する複数の上センタリングローラ（６７）により構成され、前記下支持手段（７４）は、非通過物送出管（２８）に設けられていて取出筒（４０）の外周面に接当する複数の下センタリングローラ（７１）により構成されていることを特徴とする旋回篩い装置。
【請求項２】
前記分離筒（２６）は軸心が上下に配置され、前記気流放出装置（６１）は、逆洗ブロワ（６３）とこの逆洗ブロワ（６３）からの空気を蓄える空気室（６６）とこの空気室（６６）の空気を篩い目（４１）に向けて放出する気流放出口（６４）とを有し、気流放出口（６４）は分離筒（２６）の篩い目（４１）形成部分の略全長に亘るように上下方向に
長く形成されていることを特徴とする請求項１に記載の旋回篩い装置。
【発明の詳細な説明】
【技術分野】
【０００１】
本発明は、篩い目通過物と篩い目非通過物とを分離する旋回篩い装置に関するものである。
【背景技術】
【０００２】
機械式振動篩いでは篩い分け困難な見掛け比重の軽い原料等の選別には、原料を空気輸送しながら旋回させ、篩い目で通過するものと通過しないものとに分離している。例えば、特許文献１に示されるように、篩い目通過物は通過しかつ篩い目非通過物は通過しない篩い目が形成された分離筒を備え、この分離筒の一端側に分離筒内で螺旋流となる混合空気を導入する混合空気導入口が設けられ、分離筒の他端側に篩い目非通過物を取り出す取出筒が設けられ、篩い目から放出した篩い目通過物を受けるケーシングが分離筒の外周を包囲するように設けられたものがある。
【先行技術文献】
【特許文献】
【０００３】
【特許文献１】特開２００７−２０３１７０号公報
【発明の概要】
【発明が解決しようとする課題】
【０００４】
しかし、従来は、分離筒の篩い目に内側から篩い目非通過物が付着して目詰まりを起こすという不具合があった。
本発明は上記問題点に鑑み、分離筒の外側から逆洗気流を放出して、篩い目の内側に付着する篩い目非通過物を排除して、目詰まりを起こすのを防止することができる旋回篩い装置を提供することを目的としている。
【課題を解決するための手段】
【０００５】
本発明における課題解決のための具体的手段は、次の通りである。
この技術的課題を解決する本発明の旋回篩い装置の技術的手段は、周面に篩い目通過物４と篩い目非通過物３とに分離する篩い目４１を形成した分離筒２６を備え、この分離筒２６の一端側に前記通過物４と非通過物３とが混合した輸送原料を導入して分離筒２６内で螺旋流となる混合空気導入口３３が設けられ、分離筒２６の他端側に非通過物３を取り出す非通過物取出口４２が設けられ、篩い目４１から放出した通過物３を受けるケーシング２７が分離筒２６の外周を包囲するように設けられ、ケーシング２７の下部が吸引ブロワ９と接続された旋回篩い装置において、
前記分離筒２６の外方に、分離筒２６の篩い目４１に外部から内方に向けて逆洗気流を放出する気流放出装置６１と、逆洗気流の放出位置が分離筒２６の全周に亘るように分離筒２６を周方向に回転させる回転支持機構８１とが設けられ、
前記回転支持機構８１は、分離筒２６を軸心方向に支持する担持手段７２と、分離筒２６の上下部を径方向に支持する上下支持手段７３，７４と、分離筒２６を回転駆動する駆動手段８０とにより構成され、
前記分離筒２６の上部側に支持フランジ４３を有する支持筒体４４が外嵌固着され、分離筒２６はその下部側に非通過物取出口４２を形成した取出筒４０を有し、ケーシング２７の下部には取出筒４０と連通する非通過物送出管２８を有し、
前記担持手段７２は、支持フランジ４３の下面に接当して分離筒２６の重量を受ける複数のスラストローラ６９により構成され、前記上支持手段７３は、支持筒体４４の外周に接当する複数の上センタリングローラ６７により構成され、前記下支持手段７４は、非通
過物送出管２８に設けられていて取出筒４０の外周面に接当する複数の下センタリングローラ７１により構成されている点にある。
【０００６】
また、本発明の他の技術的手段は、前記分離筒２６は軸心が上下に配置され、前記気流放出装置６１は、逆洗ブロワ６３とこの逆洗ブロワ６３からの空気を蓄える空気室６６とこの空気室６６の空気を篩い目４１に向けて放出する気流放出口６４とを有し、気流放出口６４は分離筒２６の篩い目４１形成部分の略全長に亘るように上下方向に長く形成されている点にある。
【発明の効果】
【０００７】
本発明によれば、気流放出装置で篩い目に外部から内方に向けて逆洗気流を放出することにより、分離筒の篩い目に内側から篩い目非通過物が付着して目詰まりを起こすのを分離筒の全周に亘って未然に防止することができる。
【図面の簡単な説明】
【０００８】
【図１】本発明の一実施形態を示す旋回篩い装置の正面図である。
【図２】同旋回篩い装置の斜視図である。
【図３】同旋回篩い装置の平面図である。
【図４】同図１のＡ−Ａ線断面図である。
【図５】同図１のＢ−Ｂ線断面図である。
【図６】同旋回篩い設備の斜視図である。
【発明を実施するための形態】
【０００９】
以下、本発明の実施の形態を図面に基づいて説明する。
図６は旋回篩い設備の全体構成を示している。同図において、旋回篩い設備は、例えば、空気輸送される原料２からフィルム片、繊維、紙片等（篩い目非通過物３）と、微小片、塵埃、切屑等（篩い目通過物４）とを分離するもので、旋回篩い装置７と分離装置８と第１吸引ブロワ９と第２吸引ブロワ１０と原料投入ホッパー１１とバッグフィルター１２とを備える。
【００１０】
旋回篩い装置７は、篩い目通過物４とこの篩い目通過物４より大きい形状の篩い目非通過物３とが混合された輸送原料を含む空気から篩い目通過物４と篩い目非通過物３とを分離する。分離装置８は、空気と旋回篩い装置７で分離した篩い目非通過物３とを分離するもので、ロータリバルブ１５で空気を遮断して篩い目非通過物３を回収ケース１６に収納する。なお、分離装置８はサイクロンその他の分離装置で構成してもよい。
【００１１】
また、旋回篩い設備は、輸送原料（混合物質）２を原料投入ホッパー１１から旋回篩い装置７に向けて空気輸送する混合物質輸送管１９と、旋回篩い装置７で分離された篩い目非通過物３を旋回篩い装置７から分離装置８に向けて輸送する非通過物輸送管２０と、分離装置８で分離された空気を分離装置８から旋回篩い装置７に向けて送る排気管２１と、旋回篩い装置７で分離された篩い目通過物４を旋回篩い装置７からバッグフィルター１２に向けて空気輸送する排出輸送管２２とを備える。
【００１２】
図１〜図６において、旋回篩い装置７は、分離筒２６とその外方のケーシング２７とを備え、この分離筒２６の上端側（一端側）に混合空気導入ケース２５が設けられ、ケーシング２７の下端側（他端側）に非通過物送出管２８と通過物送出管２９とが設けられている。
混合空気導入ケース２５は円筒状に形成され、混合空気導入口３３と分離空気導入口３４とを有し、下部に円筒状の供給口３５が下方突設されており、混合空気導入口３３から篩い目通過物４と篩い目非通過物３とが混合された輸送原料２を含む混合空気を混合物質輸送管１９から接線方向に導入すると共に、排気管２１からの空気を分離空気導入口３４から接線方向に導入し、これらの混合空気を供給口３５から分離筒２６に供給して分離筒２６内で螺旋流（サイクロン）を生じさせるようになっている。
【００１３】
ここで、混合空気導入ケース２５に混合空気導入口３３の他に分離空気導入口３４を設けてこの分離空気導入口３４から空気を接線方向に導入することにより、分離筒２６に導入する空気が少なくならないように混合空気の流量を調整することができる。
分離筒２６は、上側（一端側）の円筒状の本体筒状部３８と、本体筒状部３８の下端か
ら下方へ徐々に小径になる逆円錐形状の傾斜筒部３９と、傾斜筒部３９の下端からストレート円筒状に下方突出した取出筒４０とを有し、軸心が上下方向を向くように配置され、取出筒４０の下端に非通過物取出口４２が形成されている。
【００１４】
本体筒状部３８にはその周面に軸心方向全長に亘って気流と共に篩い目通過物４と篩い目非通過物３とに分離する篩い目４１（例えばメッシュ）が形成されている。本体筒状部３８は供給口３５と略同一径であってこれと同一軸心上に配置されており、本体筒状部３８の上部に支持フランジ４３を有する支持筒体４４が外嵌固着され、支持筒体４４の上半部は本体筒状部３８から上方突出されて、供給口３５に対して軸心廻りに相対回転自在に外嵌されている。
【００１５】
分離筒２６の他端側である取出筒４０が保持筒体４６により周方向（軸心廻り）に回転自在に内嵌保持されている。保持筒体４６はその下部側が非通過物送出管２８の上端部に外嵌固着され、上部が取出筒４０側に上方突出されている。
ケーシング２７は分離筒２６の外周を包囲しており、分離筒２６の篩い目４１から放出された篩い目通過物４を受けるようになっている。ケーシング２７は、上部ケース体４９と中央部ケース体５０と下部ケース体５１とを有し、上部ケース体４９は天壁５２を有する円筒状に形成され、下端部に下フランジ５３が設けられている。中央部ケース体５０は円筒状に形成され、上端部と下端部とに上フランジ５５と下フランジ５６とがそれぞれ設けられている。下部ケース体５１は下方側が徐々に小径となった円錐状に形成され、上端部に上フランジ５８が設けられている。
【００１６】
上部ケース体４９と中央部ケース体５０とはそれぞれの下フランジ５３と上フランジ５５とを介して互いに連結され、中央部ケース体５０と下部ケース体５１とはそれぞれの下フランジ５６と上フランジ５８とを介して互いに連結されている。中央部ケース体５０の正面側及び背面側には点検窓５９が設けられており、点検窓５９を開閉することでケーシング２７内を点検することができるようになっている。
【００１７】
ケーシング２７の下部は通過物送出管２９を介して吸引ブロワ９と接続されている。通過物送出管２９は一端側がケーシング２７の下端部内に連通され、他端側が排出輸送管２２ａに連通されており、旋回篩い装置７で分離された篩い目通過物４を含む空気を排出輸送管２２ａに送出する。
非通過物送出管２８は上端側が分離筒２６の取出筒４０に連通され、下端側がケーシング２７から下方に突出されて非通過物輸送管２０に連通されており、旋回篩い装置７で分離された篩い目非通過物３を含む空気を非通過物輸送管２０に送出する。
【００１８】
ケーシング２７に分離筒２６の篩い目４１に外部から内方に向けて逆洗気流を放出する気流放出装置６１が設けられている。気流放出装置６１は逆洗ブロワ６３と気流放出口６４と逆洗連通管６５と空気室６６とを有し、逆洗連通管６５は逆洗ブロワ６３と空気室６６とを連通している。気流放出口６４は空気室６６の空気を篩い目４１に向けて放出するもので、本体筒状部３８の周方向の一部に近接して配置され、篩い目４１に沿って本体筒状部３８（篩い目４１形成部分）の軸心方向の略全長に亘って上下方向に長く形成されている。空気室６６は逆洗ブロワ６３からの空気を蓄えるもので、その上下両端部が気流放出口６４よりも上下に突出するように上下方向に長く形成されている
ケーシング２７の内周面に周方向に間隔をおいて複数の上センタリングローラ６７が突設されている。各上センタリングローラ６７は支持筒体４４の外周面に接当しており、支持筒体４４の外周面を転動するようになっている。
【００１９】
ケーシング２７の内周面に複数のスラストローラ６９が周方向に間隔をおいて突設されている。各スラストローラ６９は支持筒体４４の支持フランジ４３の下面に接当しており、分離筒２６の重量を受けながら支持フランジ４３の下面を転動するようになっている。複数の上センタリングローラ６７と複数のスラストローラ６９とはケーシング２７の周方向に等間隔おきにかつ交互に並ぶように配置されている。
【００２０】
非通過物送出管２８（具体的には保持筒体４６）の周方向に等間隔をおいて複数の下センタリングローラ７１が突設されている。各下センタリングローラ７１は取出筒４０の外周面に接当しており、取出筒４０の外周面を転動するようになっている。
而して、分離筒２６はケーシング２７に対して軸心廻りに（周方向に）回転自在に支持されており、分離筒２６は支持筒体４４と共に軸心廻りに回転可能であり、複数のスラストローラ６９により、分離筒２６を軸心方向に支持する担持手段７２が構成され、複数の上センタリングローラ６７により、分離筒２６の上部を径方向に支持する上支持手段７３が構成され、複数の下センタリングローラ７１により、分離筒２６の下部を径方向に支持する下支持手段７４が構成されている。
【００２１】
支持筒体４４の外周にローラーチェン７５が装着され、支持筒体４４の外側方にモータ７６とスプロケットホイル７７とが設けられ、スプロケットホイル７７はスプロケットケース７８に収納されると共にローラーチェン７５に噛合され、モータ７６でスプロケットホイル７７を回転駆動するようになっており、モータ７６とスプロケットホイル７７とローラーチェン７５とにより分離筒２６を周方向に回転駆動する駆動装置８０が構成されている。
【００２２】
そして、前記分離筒２６を軸心方向に支持する担持手段７２と、分離筒２６の上下部を径方向に支持する上下支持手段７４と、分離筒２６を回転駆動する駆動手段８０とにより、気流放出装置６１による逆洗気流の放出位置が分離筒２６の全周に亘るように分離筒２６を周方向に回転させる回転支持機構８１が構成されている。
図６に示す前記分離装置８は、ロータリバルブ１５を有する点と、気流放出装置６１及び回転支持機構８１を有さない点で旋回篩い装置７とは異なっているが、その他の点は旋回篩い装置７と略同様の構成である。
【００２３】
上記実施形態によれば、原料投入ホッパー１１に投入した原料である小さい形状の篩い目通過物４と大きい形状の篩い目非通過物３との混合物質２は、第１吸引ブロワ９及び第２吸引ブロワ１０の吸引力乃至送風力によって、混合物質輸送管１９を通して旋回篩い装置７に空気輸送される。また、分離装置８で分離された空気は排気管２１を通して旋回篩い装置７に送られ、ここで、混合物質輸送管１９からの混合物質２と混ぜられる。
【００２４】
そして、旋回篩い装置７では、篩い目通過物４と篩い目非通過物３とが混合された混合空気が混合空気導入ケース２５から供給口３５を通して分離筒２６内に導入され、この導入した混合空気によって、分離筒２６内で螺旋流が発生して篩い目４１より小さい物が気流と共に通過し、その篩い目通過物４が分離筒２６からケーシング２７内に放出され、排出輸送管２２ａ，２２ｂを通してバッグフィルター１２に空気輸送されて、ここに貯留される。他方、篩い目４１より大きい物が通過できなく、その篩い目非通過物３は分離筒２６内から非通過物輸送管２０を通して分離装置８に空気輸送される。
【００２５】
この際、気流放出装置６１が外部から篩い目４１に向けて逆洗気流を放出し、回転支持機構８１が分離筒２６への逆洗気流の放出位置を変更すべく分離筒２６を周方向に回転させるので、分離筒２６の全周に亘って篩い目非通過物３を分離筒２６の外周側から中央側に吹き入れることができ、分離筒２６の篩い目４１に内側から篩い目非通過物３が付着して目詰まりを起こすのを分離筒２６の全周に亘って未然に防止することができる。
【００２６】
ここで、気流放出装置６１及び回転支持機構８１の運転は、旋回篩い装置７を運転している間に、連続的に行ってもよく、また時間間隔をおいて断続的に行ってもよい。また、分離筒２６内に放出された逆洗気流は、螺旋流と一緒になり分離筒２６からケーシング２７内に送出され或いは非通過物送出管２８に送出されて分離作用に供し、分離作用に支障を生じさせることはない。
【００２７】
従って、分離筒２６の目詰まりを効果的に防止して、篩い目通過物４を分離筒２６の篩い目４１からケーシング２７内にスムーズに放出でき、篩い目通過物４をケーシング２７からスムーズに通過物送出管２９を介して排出輸送管２２に送ることができる。また、篩い目非通過物３を分離筒２６の取出筒４０から非通過物送出管２８を介して非通過物輸送管２０にスムーズに送ることができる。
【００２８】
また、気流放出装置６１は、逆洗ブロワ６３からの空気を蓄える空気室６６を有しているので、逆洗ブロワ６３からの空気を空気室６６に蓄えることにより、気流放出口６４の全長から均一な風圧で気流を良好に放出することができ、分離筒２６の篩い目４１に内側から篩い目非通過物３が付着して目詰まりを起こすのを分離筒２６の篩い目４１形成部分
の略全長に亘って、より確実に防止することができる。
【００２９】
また、回転支持機構８１は、複数のスラストローラ６９により構成されて分離筒２６を軸心方向に支持する担持手段７２と、複数の上センタリングローラ６７により構成されて分離筒２６の上部を径方向に支持する上支持手段７３と、複数の下センタリングローラ７１により構成されて分離筒２６の下部を径方向に支持する下支持手段７４と、分離筒２６を回転駆動する駆動手段８０とにより構成されているので、上下支持手段７３，７４よって分離筒２６をその上部と下部とで径方向に大きくガタ付かないように回転自在に支持すると共に、担持手段７２で分離筒２６を上下方向に大きくガタ付かないように軸心方向に支持して、駆動手段８０により分離筒２６をスムーズに回転駆動することができる。
【００３０】
なお、前記実施形態では、混合空気導入ケース２５により、混合物質輸送管１９を通して輸送された混合物質２を含む混合空気と、排気管２１を通して送られた空気とを混合させて、その混合空気を分離筒２６内に導入するようにしているが、これに代え、混合空気導入ケース２５の上部に空気量調整用の空気を導入する調整空気導入口を形成してもよい。
【符号の説明】
【００３１】
３      篩い目非通過物
４      篩い目通過物
７      旋回篩い装置
９      第１吸引ブロワ
２６    分離筒
２７    ケーシング
３３    混合空気導入口
４０    取出筒
４１    篩い目
４２    非通過物取出口
４３    支持フランジ
４４    支持筒体
６１    気流放出装置
６３    逆洗ブロワ
６４    気流放出口
６６    空気室
６７    上センタリングローラ
６９    スラストローラ
７３    支持装置
７１    下センタリングローラ
７２    担持手段
７３    上支持手段
７４    下支持手段
８０    駆動装置
８１    回転支持機構
【図１】
0005524890.tif 000002
【図２】
0005524890.tif 000003
【図３】
0005524890.tif 000004
【図４】
0005524890.tif 000005
【図５】
0005524890.tif 000006
【図６】
0005524890.tif 000007